(57)【特許請求の範囲】
【請求項１】
筆記具筒体には筆記リフィールとノック機構を収容し、固定クリップ部材の先端部が筆記具筒体の側面との間に間隔を置いて弾性変形可能に該固定クリップ部材を筆記具筒体の後部に設けた筆記具において、
前記固定クリップ部材を、筆記具筒体側面との間に物品収容空間が形成されるよう筆記具筒体に取り付けると共に、ノック機構のノック動作による筆記リフィールの前後方向の摺動に伴い前後方向に移動可能な可動クリップ部材を該物品収容空間内に位置するよう筆記具筒体に取り付け、
該可動クリップ部材を筆記具筒体に向けて付勢することによって、物品収容空間内に収容された物品をこれら可動クリップ部材と筆記具筒体との間に把持するようにし、又は、前記物品収容空間内に収容された物品を固定クリップ部材と可動クリップ部材との間に把持するようにしたと共に、
筆記時において、可動クリップ部材が物品収容空間から露出され、可動クリップ部材自体の弾性によって可動クリップ部材が固定クリップ部材に向け付勢されるようにしたことを特徴とする筆記具。
【請求項２】
未筆記時において、可動クリップ部材が物品収容空間に収容され固定クリップ部材と可動クリップ部材との間に隙間が設けられていることを特徴とする請求項１記載の筆記具。
【請求項３】
筆記リフィールの後端部とノック機構の前端部との間に、前記可動クリップ部材が配設されていることを特徴とする請求項１又は２に記載の筆記具。
【請求項４】
筆記具筒体には筆記リフィールとノック機構を収容し、固定クリップ部材の先端部が筆記具筒体の側面との間に間隔を置いて弾性変形可能に該固定クリップ部材を筆記具筒体の後部に設けた筆記具において、
前記固定クリップ部材を、筆記具筒体側面との間に物品収容空間が形成されるよう筆記具筒体に取り付けると共に、ノック機構のノック動作による筆記リフィールの前後方向の摺動に伴い前後方向に移動可能な可動クリップ部材を、未筆記時において、該物品収容空間内に位置するよう筆記具筒体に取り付け、
筆記時において、可動クリップ部材が物品収容空間から露出され、固定クリップ部材と筆記具筒体との隙間を塞ぐことを特徴とする筆記具。
【発明の詳細な説明】
【技術分野】
【０００１】
本発明はクリップのある筆記具に関する。
【背景技術】
【０００２】
従来、筆記具にクリップを設けて、そのクリップによって被服のポケットの縁を挟んで筆記具を固定するようにしている。この場合、筆記具に物品を把持する際にはクリップの弾性作用によって物品を把持することが主流である。
【０００３】
この種の筆記具には、例えば図３に示すような、ノック式ボールペンがある。この筆記具では、筆記具筒体ａの内部に、先端にペン先が設けられた筆記リフィールｂが進退動可能に収容されて、常時、筆記リフィールｂは後方向きにスプリングｃによって付勢されている。また、筆記リフィールｂの後端に接する状態でノック部ｄが筆記具筒体ａ後端部から進退動可能に突出している。ノック部ｄをノックすることによって筆記リフィールｂの先端を筆記具筒体ａから突出させて、図示しないカーンノック式のノック機構で筆記リフィールｂの突出位置を保持して筆記可能状態にする。また、再度ノック部ｄをノックし筆記リフィールｂを後退させ元の未筆記状態にする。
【０００４】
ここで、筆記具筒体ａの後端部にクリップｅが設けられている。クリップｅは、該筆記具筒体ａの外側面部にクリップｅの先端が近接するように設けられており、そのクリップｅと筆記具筒体ａとの間の空間に物品（服のポケットの縁部等）を挟み付けて把持する。
【０００５】
しかしながら、繰り返しの把持によってクリップが破損する場合がある。
【０００６】
クリップの破損防止対策として、特開２００８−２３８６６３号公報（：特許文献１）では、クリップ部材の内側に板バネを設けて、そのクリップ部材の耐久性を向上させている。
【０００７】
また、特開２００４−１２２７３３号公報（：特許文献２）では、スライダーとクリップにおけるクリップポイントとを係合させてクリップの開脚を阻止するものが開示されている。
【０００８】
また、特許第３１９７４４４号公報（特開平８−１６４６９７号）（：特許文献３）では、リフィールと回転子との間に弾性体を設けて、この弾性体によって、ノック部をノックしたときにリフィールへの衝撃を吸収する構造としている。
【先行技術文献】
【特許文献】
【０００９】
【特許文献１】特開２００８−２３８６６３号公報
【特許文献２】特開２００４−１２２７３３号公報
【特許文献３】特許第３１９７４４４号公報（特開平８−１６４６９７号）
【発明の概要】
【発明が解決しようとする課題】
【００１０】
しかしながら、前記特許文献１は、クリップと板バネの二部材が双方とも軸体（筆記具筒体）に固定されている構成であるが、板バネによるペン先の繰出し時の認識がしづらい。
また、特許文献２の筆記具はスライダーによる繰出であるため、従来からのノック式筆記具のペン先の繰出しと異なり使用勝手が悪い。
また、特許文献３の筆記具は、弾性体の軸体への挿入有無が外観からでは容易に判別がしづらい。
【００１１】
本発明は、この可動クリップ部材がノック時に固定クリップ部材下部から露出され、固定クリップ部材と筆記具筒体との隙間をふさぐことから、視覚的に筆記具筒体とクリップとの間に物を挟みづらくした筆記具を提供するものである。
【課題を解決するための手段】
【００１２】
本発明は、筆記具筒体には筆記リフィールとノック機構を収容し、固定クリップ部材の先端部が筆記具筒体の側面との間に間隔を置いて弾性変形可能に該固定クリップ部材を筆記具筒体の後部に設けた筆記具において、
前記固定クリップ部材を、筆記具筒体側面との間に物品収容空間が形成されるよう筆記具筒体に取り付けると共に、ノック機構のノック動作による筆記リフィールの前後方向の摺動に伴い前後方向に移動可能な可動クリップ部材を該物品収容空間内に位置するよう筆記具筒体に取り付け、
該可動クリップ部材を筆記具筒体に向けて付勢することによって、物品収容空間内に収容された物品をこれら可動クリップ部材と筆記具筒体との間に把持するようにし、又は、前記物品収容空間内に収容された物品を固定クリップ部材と可動クリップ部材との間に把持するようにしたと共に、
筆記時において、可動クリップ部材が物品収容空間から露出され、可動クリップ部材自体の弾性によって可動クリップ部材が固定クリップ部材に向け付勢されるようにしたことを特徴とする筆記具である。
【００１４】
また、本発明においては、未筆記時において、可動クリップ部材が物品収容空間に収容され固定クリップ部材と可動クリップ部材との間に隙間が設けられていることが好適である。
また、本発明においては、筆記具筒体には筆記リフィールとノック機構を収容し、筆記リフィールの後端部とノック機構の前端部との間に、前記可動クリップ部材が配設されていることが好適である。
【００１５】
本発明は、筆記具筒体には筆記リフィールとノック機構を収容し、固定クリップ部材の先端部が筆記具筒体の側面との間に間隔を置いて弾性変形可能に該固定クリップ部材を筆記具筒体の後部に設けた筆記具において、
前記固定クリップ部材を、筆記具筒体側面との間に物品収容空間が形成されるよう筆記具筒体に取り付けると共に、ノック機構のノック動作による筆記リフィールの前後方向の摺動に伴い前後方向に移動可能な可動クリップ部材を、未筆記時において、該物品収容空間内に位置するよう筆記具筒体に取り付け、
筆記時において、可動クリップ部材が物品収容空間から露出され、固定クリップ部材と筆記具筒体との隙間を塞ぐことを特徴とする筆記具である。
【発明の効果】
【００１６】
本発明によれば、筆記具において、固定クリップ部材を、筆記具筒体側面との間に物品収容空間が形成されるよう筆記具筒体に取り付けると共に、ノック機構のノック動作による筆記リフィールの前後方向の摺動に伴い前後方向に移動可能な可動クリップ部材を該物品収容空間内に位置するよう筆記具筒体に取り付け、該可動クリップ部材を筆記具筒体に向けて付勢することによって、物品収容空間内に収容された物品をこれら可動クリップ部材と筆記具筒体との間に把持するようにし、又は、前記物品収容空間内に収容された物品を固定クリップ部材と可動クリップ部材との間に把持するようにしたので、ペン先を軸から繰出したまま衣服のポケット等に間違って筆記具を収納し難くなり、衣服を汚すことを防ぐことができる。
【００１７】
また、可動クリップ部材をリフィール後端部に接触させて弾発を得る形状とすることで、繰出し時のノック衝撃を緩和し、筆記具のカスレやボール飛びを防ぐことができる等の作用効果を奏する。
【図面の簡単な説明】
【００１８】
【図１】本発明の実施形態に係る筆記具を半断面視した説明図であって、（ａ）が非ノック状態、（ｂ）がノック状態である。
【図２】図１に示す筆記具のクリップの動作説明図であって、（ａ）が非ノック状態で物品（物）を挟んだ状態、（ｂ）がノック状態で物品が挟めない状態である。
【図３】従来の筆記具の半断面した説明図である。
【発明を実施するための形態】
【００１９】
以下、本発明の実施の形態について添付図面を参照して説明する。
【００２０】
図１〜図２は実施形態に係る筆記具の説明図である。
【００２１】
図１に示すように、実施形態に係る筆記具は、固定クリップ部材１０の先端部が筆記具筒体１２の側面との間に間隔を置いて弾性変形可能に該固定クリップ部材１０を筆記具筒体１２の後部に設けた筆記具である。
【００２２】
筆記具筒体１２は前端および後端に開口が形成された概略中空筒体である。筆記具筒体１２は前部と後部が螺合して一体化しており、筆記具筒体１２の内部に、先端にボールペンチップのペン先が設けられて内部にインクを収容する筆記リフィール１８が進退動可能に収容されており、当該筆記リフィール１８は後方向きにスプリング２０によって付勢されている。
【００２３】
筒状のノック部２２が、前記筆記具筒体１２後端部から固定クリップ部材１０の筒状本体１０ａの中空内に挿通されて進退動可能に突出している。ノック機構は、ノック部２２とその周囲部との間に図示しない、いわゆるカーンノック式の機構が設けられているものである。
【００２４】
また、筆記具筒体１２の後端部に前記固定クリップ部材１０が設けられている。前記固定クリップ部材１０は、その筒状本体１０ａが筆記具筒体１２の後端に固定され、側面から弧を描いてクリップ部１０ｂが前方に延びる。
【００２５】
固定クリップ部材１０は、前記筆記具筒体１２の外側面部に固定クリップ部材１０（クリップ部１０ｂ）の先端が近接するように設けられている。これは、その固定クリップ部材１０と筆記具筒体１２との間の物品収容空間１４に物品（服のポケットの縁部等）２４を挟み付けて把持可能に、筆記具筒体１２側面との間に物品収容空間１４が形成される状態に筆記具筒体１２に取り付けられるものである。
【００２６】
それと共に、ノック動作の前後方向の摺動に伴い前後方向に移動可能な可動クリップ部材１６が該物品収容空間１４内に位置するよう筆記具筒体１２に取り付けられる。
【００２７】
該可動クリップ部材１６を筆記具筒体１２に向けて付勢して、物品収容空間１４内に収容された物品をこれら可動クリップ部材１６と筆記具筒体１２との間、又は固定クリップ部材１０と可動クリップ部材１６との間に把持するようにしたものである。
【００２８】
固定クリップ部材１０は図３の従来例と同様に、筆記具筒体１２の後端部内部に装着され、固定されている。
【００２９】
ここで、筆記具筒体１２には前記のように筆記リフィール１８と前記ノック部２２を含むノック機構を収容しており、筆記リフィール１８の後端部とノック機構のノック部２２前端部との間に、前記可動クリップ部材１６の基部１６ａが挟み付けられて配設されている。
【００３０】
前記可動クリップ部材１６は、概略Ｌ字形状を呈した金属性であって弾性変形可能な靱性を有しており、前記可動クリップ部材１６は、前記基部１６ａが重ねるように折られた二重の構造である。その基部１６ａから後方に曲がって後方にやや延び、途中から前方に向けて曲がって多く延びた形状のクリップ部１６ｂとを有してなる。また、このクリップ部１６ｂの前端部は筆記具筒体１２側にＲを付けて巻き込まれている。クリップ部１６ｂの前端部は、筆記具筒体１２の側面を摺動するようになっている。
【００３１】
また、可動クリップ部材１６と筆記リフィール１８とが接触する部分を二重構造に折り曲げられた弾性形状とすることで、ノック衝撃緩和機能が付与するものである。
【００３２】
ノック機構については、従来のカム回転式（カーンノック式）筆記具と同様であり、その説明を省略している。
【００３３】
可動クリップ部材１６の材料に関しては、金属材、プラスチック材であり、特に繰り返し把持の耐久性や加工性、耐腐食性の点からステンレス材が望ましい。
【００３４】
筆記リフィール１８はボールペン、サインペン等であるが、特にノック衝撃による筆記品質（筆記カスレ、ボール飛び）への影響が生じやすいゲルインクボールペンであることが望ましい。
【００３５】
上記筆記具は、図１（ｂ）に示すように、ノック部２２をノックして筆記リフィールを前進させた筆記時において、可動クリップ部材１６のクリップ部１６ｂの前端部が物品収容空間１４前端から固定クリップ部材１０より前方に位置して露出され、可動クリップ部材１６自体の弾性によって可動クリップ部材１６が固定クリップ部材１０に向け付勢されるようにしたものである。
【００３６】
また、未筆記時において、図１（ａ）に示すように、可動クリップ部材１６が後退して物品収容空間１４内に収容され固定クリップ部材１０と可動クリップ部材１６との間に隙間１４ａが設けられている。
【００３７】
実施形態の筆記具では、筆記リフィール１８の後端部とノック機構のノック部２２前端部との間に、前記可動クリップ部材１６の基部１６ａが挟み付けられているので、可動クリップ部材１６が筆記リフィール１８に固定して同様に移動するようにされている。固定クリップ部材１０の下部に固定クリップ部材１０にほぼ沿うように、筆記リフィール１８と移動方向を同じとする可動クリップ部材１６を形成している。
【００３８】
図２（ａ）に示すように、未筆記時で筆記リフィール１８が後退したときにおいて、固定クリップ部材１０と可動クリップ部材１６との間に物品収容空間１４に連続する隙間が空いており、この隙間を通して、物品収容空間１４内に物品２４を挟んだときは、この固定クリップ部材１０と可動クリップ部材１６との上下のクリップ間に当該物品２４が挟まれることで、より強固な把持力を発揮する。なお、可動クリップ部材１６の弾性変形させて、物品２４を前記可動クリップ部材１６と筆記具筒体１２側面との間に保持可能にする構造でもある。
【００３９】
この可動クリップ部材１６がノック時には図２の（ｂ）に示すように、固定クリップ部材１０下部から露出させ、可動クリップ部材１６によって固定クリップ部材１０との間の隙間をふさぐよう配置する。
【００４０】
図１の（ａ）や図２の（ａ）に示すように、上記筆記具は、非ノック時には固定クリップ部材１０の下部に隠れるように配置する。
【００４１】
一方、ノック時は、図１（ｂ）や図２（ｂ）に示すように、可動クリップ部材１６が前進して可動クリップ部材１６と固定クリップ部材１０の隙間がないことから、使用者は、視覚的にも物を挟みづらくなるため、筆記リフィール１８のペン先を出したまま筆箱や衣服のポケットに収納することを防ぐことができる。このノック時には、可動クリップ部材１６と筆記具筒体１２との間に物品を挟み難く、これによっても、筆記リフィール１８のペン先を出したまま筆箱や衣服のポケットに収納することを防ぐことができる。
なお、本発明は上記実施形態に限定されず、その他、カーンノック式以外のノック機構やボールペン以外の筆記リフィールを用いた筆記具に採用できる。
【産業上の利用可能性】
【００４２】
本発明の筆記具は、化粧料等の塗布液を収容した化粧料製品の塗布具としても利用することができる。
【符号の説明】
【００４３】
１０  固定クリップ部材
１０ａ  固定クリップ部材の筒状本体
１０ｂ  固定クリップ部材のクリップ部
１２  筆記具筒体
１４  物品収容空間
１４ａ  固定クリップ部材と可動クリップ部材との隙間
１６  可動クリップ部材
１６ａ  可動クリップ部材の基部
１６ｂ  可動クリップ部材のクリップ部
１８  筆記リフィール
２０  スプリング
２２  ノック部
２４  （挟み付け対象の）物品
【図１】
0005765996.tif 000002
【図２】
0005765996.tif 000003
【図３】
0005765996.tif 000004